(57)【要約】【課題】インターネットを利用してアイデアを抽出し、レポートを作成できるようにする。【解決手段】進行サイド側で、課題を設定して参加者に送付する手段と、参加者側で、送られてくる課題１語１語に対してそれぞれ２語のキーワードを連想して進行サイドに送付する手段と、進行サイド側で、送られてくるキーワードをメモリするとともに、受信したキーワードを参加者に送付する手段と、参加者側で、送られてくるキーワードの中から２語のキーワードを選択して、キーワード１語１語に対してそれぞれ２語のキーワードを連想して進行サイドに送付する手段と、進行サイド側で、参加者に対してキーワードの送付を複数回行ない、この過程で蓄えられたキーワードの中からいくつかのキーワードを選択し、選んだキーワードからレポートを作成して、データベースに格納する手段とを有し、これらの操作をインターネット上で行なう。【選択図】        図１
2004213219.tif 000002
【特許請求の範囲】
【請求項１】
進行サイド側で、目的語と述語の２語からなる課題を設定して、１人または複数の参加者に送付する手段と、
参加者側で、送られてくる課題１語１語に対してそれぞれ２語のキーワードを連想して進行サイドに送付する手段と、
進行サイド側で、送られてくるキーワードをメモリするとともに、受信したキーワードを参加者に送付する手段と、
参加者側で、送られてくるキーワードの中から２語のキーワードを選択して、キーワード１語１語に対してそれぞれ２語のキーワードを連想して進行サイドに送付する手段と、
進行サイド側で、参加者に対してキーワードの送付を複数回行ない、この過程で蓄えられたキーワードの中からいくつかのキーワードを選択し、選んだキーワードからレポートを作成して、データベースに格納する手段とを有し、
これらの操作をインターネット上で行なうことを特徴とするアイデア抽出システム。
【発明の詳細な説明】
【０００１】
【発明の属する技術分野】
本発明は、インターネットを利用したアイデア抽出システムに関する。
【０００２】
【従来の技術】
遠隔地にいる人達が、インターネットを利用してアイデアを出し合い、レポートを作成するようなシステムは従来なかった。
【０００３】
【発明が解決しようとする課題】
本発明は、このような従来の技術が有する課題を解決するために提案されたものであり、インターネットを利用してアイデアを抽出し、レポートを作成できるアイデア抽出システムを提供することを目的とする。
【０００４】
【課題を解決するための手段】
この目的を達成するために本発明によるアイデア抽出システムは、進行サイド側で、目的語と述語の２語からなる課題を設定して、１人または複数の参加者に送付する手段と、参加者側で、送られてくる課題１語１語に対してそれぞれ２語のキーワードを連想して進行サイドに送付する手段と、進行サイド側で、送られてくるキーワードをメモリするとともに、受信したキーワードを参加者に送付する手段と、参加者側で、送られてくるキーワードの中から２語のキーワードを選択して、キーワード１語１語に対してそれぞれ２語のキーワードを連想して進行サイドに送付する手段と、進行サイド側で、参加者に対してキーワードの送付を複数回行ない、この過程で蓄えられたキーワードの中からいくつかのキーワードを選択し、選んだキーワードからレポートを作成して、データベースに格納する手段とを有し、これらの操作をインターネット上で行なうことを特徴とする。
【０００５】
【発明の実施の形態】
以下、本発明の実施の形態を図面に基づき詳細に説明する。
図１のブロック図に本発明によるアイデア抽出システムの一実施形態を示す。この図で、進行サイド側のシステムは、インターネット１に接続され情報の送受を行なう送受信部２と、主制御部３と、表示部４と、メモリ５と、課題・参加者数設定部６と、キーワード送受信制御部７と、キーワード選択制御部８と、レポート作成制御部９と、データベース１０とからなる。
【０００６】
ここで、メモリ５は、参加者から送られてくるキーワードなどを記憶する。
また、キーワード送受信制御部７は、設定した課題を参加者に配信したり、参加者からキーワードを受信し再びキーワードを参加者に配信する制御を行なう。
また、キーワード選択制御部８は、複数回キーワードを参加者に配信したあとに、蓄積されたキーワードの中からいくつかのキーワードを選択して、レポート作成の準備を整える制御を行なう。
また、レポート作成制御部９は、選択されたキーワードを用いてレポートを作成する際の制御を行なうとともに、作成されたレポートをデータベース１０に蓄える制御を行なう。
【０００７】
一方、参加者側のシステムは、インターネット１に接続され情報の送受を行なう送受信部１１と、主制御部１２と、表示部１３と、メモリ１４と、キーワード選択制御部１５と、キーワード連想制御部１６とからなる。
ここで、メモリ１４は、受信した課題やキーワードを一時的に蓄えたり、連想したキーワードを一時的に蓄える。
また、キーワード選択制御部１５は、進行サイドから送られてくる複数のキーワードから２語のキーワードを選択する際の制御を行なう。
また、キーワード連想制御部１６は、課題や選択したキーワードから新たなキーワードを連想する際の制御を行なう。
【０００８】
つぎに、このように構成されるアイデア抽出システムの動作を図２乃至図６の流れ図を参照して説明する。
まず、進行サイド側では、ＩＤとパスワードを入力してログインを行なう（ステップＳ１）。
続いて、目的語と述語の２語からなる課題を設定する。この例では、図７の表示部４の画面２０に示すように、目的語として「いわしを」が入力され、述語として「たくさん捕る」が入力されている。つぎに、アイデアの抽出を行なう参加者数（モニタ数）を設定する。この例では参加者として１人が入力されている。課題と参加者数の入力が完了したあとは、登録ボタン２１をクリックしてシステムに登録する（ステップＳ２）。
【０００９】
つぎに、進行サイド側で、参加者のハンドル名とＥ−メールアドレスを入力する（ステップＳ３）。
つぎに、進行サイド側で、参加者に送るメール文が作成される。このメール文内容としては、今回、アイデア抽出作業のメンバーに選ばれた旨などが記される（ステップＳ４）。
つぎに、図８に示すように進行サイド側の表示部４の画面２２に課題が表示される（ステップＳ５）。
つぎに、画面２２中の配るのボタン２３がクリックされることで、課題が参加者に配信される（ステップＳ６）。
【００１０】
つぎに、参加者側の画面にメール文が表示されたあと（ステップＳ７）、図９に示すように参加者側の表示部１３の画面２４に課題が表示される（ステップＳ８）。
つぎに、参加者側で、課題の１語１語に対して連想されるキーワードがそれぞれ２語づつ図１０の表示部１３の画面２５に入力される。この例では「たくさん捕る」に対して「機械」、「大人数」が入力され、「いわしを」に対して「よわい」、「さかな」が入力されている。キーワードの入力後に、送信ボタン２６がクリックされると、キーワードが進行サイドに送られる（ステップＳ９）。
ステップＳ５からステップＳ９までは第１ラウンドの動作となる。
【００１１】
進行サイドでは、参加者側からキーワードが受信されると、図１１に示すように表示部４の画面２７にキーワードが表示される（ステップＳ１０〜Ｓ１１）。その後、画面２７中の配るのボタン２８がクリックされると、キーワードが参加者に配信される（ステップＳ１２）。
【００１２】
続いて、参加者側では、進行サイド側から送られてくるキーワードを受信すると、図１２に示すように表示部１３の画面２９にキーワードが表示される（ステップＳ１３）。その後、参加者側で、図１３の画面３０に示すようにキーワードの中から連想しやすい２語のキーワードの選択が行われて、選択ボタン３１がクリックされる（ステップＳ１４）。この例では、「機械」と「よわい」のキーワードが選択されている。
【００１３】
この動作に伴い、表示部１３の画面３２には、図１４に示すように選択された２語のキーワードが表示される（ステップＳ１５）。その後、参加者側で、キーワードの１語１語に対して連想されるキーワードがそれぞれ２語づつ図１５に示すように表示部１３の画面３３に入力される。この例では「機械」に対して「ガテン系」、「汗」が入力され、「よわい」に対して「やさしく扱う」、「守ってあげる」が入力されている。キーワードの入力後に、送信ボタン３４がクリックされると、キーワードが進行サイドに送られる（ステップＳ１６）。
ステップＳ１０からステップＳ１６までは第２ラウンドの動作となる。
【００１４】
進行サイドでは、参加者側からキーワードが受信されると、図１６に示すように表示部４の画面３５にキーワードが表示される（ステップＳ１７〜Ｓ１８）。その後、画面３５中の配るのボタン３６がクリックされると、キーワードが参加者に配信される（ステップＳ１９）。
【００１５】
続いて、参加者側では、進行サイド側から送られてくるキーワードを受信すると、図１７に示すように表示部１３の画面３７にキーワードが表示される（ステップＳ２０）。その後、参加者側で、図１８の画面３８に示すようにキーワードの中から連想しやすい２語のキーワードの選択が行われて、選択ボタン３９がクリックされる（ステップＳ２１）。この例では、「やさしく扱う」と「守ってあげる」のキーワードが選択されている。
【００１６】
この動作に伴い、表示部１３の画面４０には、図１９に示すように選択された２語のキーワードが表示される（ステップＳ２２）。その後、参加者側で、キーワードの１語１語に対して連想されるキーワードがそれぞれ２語づつ図２０に示すように表示部１３の画面４１に入力される。この例では「やさしく扱う」に対して「たまご」、「精密機器」が入力され、「守ってあげる」に対して「正義の味方」、「恋人」が入力されている。キーワードの入力後に、送信ボタン４２がクリックされると、キーワードが進行サイドに送られる（ステップＳ２３）。
ステップＳ１７からステップＳ２３までは第３ラウンドの動作となる。
【００１７】
進行サイドでは、参加者側からキーワードが受信されると、図２１に示すように表示部４の画面４３にキーワードが表示される（ステップＳ２４〜Ｓ２５）。その後、画面４３中の配るのボタン４４がクリックされると、キーワードが参加者に配信される（ステップＳ２６）。
【００１８】
続いて、参加者側では、進行サイド側から送られてくるキーワードを受信すると、図２２に示すように表示部１３の画面４５にキーワードが表示される（ステップＳ２７）。その後、参加者側で、図２３の画面４６に示すようにキーワードの中から連想しやすい２語のキーワードの選択が行われて、選択ボタン４７がクリックされる（ステップＳ２８）。この例では、「たまご」と「精密機器」のキーワードが選択されている。
【００１９】
この動作に伴い、表示部１３の画面４８には、図２４に示すように選択された２語のキーワードが表示される（ステップＳ２９）。その後、参加者側で、キーワードの１語１語に対して連想されるキーワードがそれぞれ２語づつ図２５に示すように表示部１３の画面４９に入力される。この例では、「たまご」に対して「割れる」、「おいしい」が入力され、「精密機器」に対して「コンピュータ」、「スイスの時計」が入力されている。キーワードの入力後に、送信ボタン５０がクリックされると、キーワードが進行サイドに送られる（ステップＳ３０）。
ステップＳ２４からステップＳ３０までは第４ラウンドの動作となる。
【００２０】
進行サイドでは、参加者側からキーワードが受信されると、図２６に示すように表示部４の画面５１にキーワードが表示される（ステップＳ３１〜Ｓ３２）。
第１ラウンドから第４ラウンドまでに蓄積されたキーワードの階層構造５３を図２７に示す。
続いて、画面５１中のレポートボタン５２をクリックすると、図２８の画面５４に示すように今までに蓄積されたキーワードが一覧表示される（ステップＳ３３）。その後、画面５４中のレポート作成ボタン５５をクリックすると、レポート作成用の画面５６が表示される。
【００２１】
この一覧表示されたキーワードの中からレポート作成に適すると思われるいくつかのキーワードが選択される（ステップＳ３４）。この例では「機械」、「コンピュータ」の２語が選択されている。
この２語を用いて、レポート作成欄５７にレポートが作成される（ステップＳ３５）。レポートの例としては、「コンピュータによる制御で動く機械を使って、いわしの積み下ろしを丁寧に扱い、しかも同じ動きが何回もできるので、いわしが傷まない。」などがある。
作成されたレポートは、画面５６中の登録ボタン５８をクリックすることで、データベース１０に格納される（ステップＳ３６）。
【００２２】
【発明の効果】
以上説明したように本発明によれば、出張して会議を開くことなく、同席することなくかつ同時刻である必要ない人達がインターネットを利用してアイデアを抽出しあい、レポートを作成できるという利点がある。
【図面の簡単な説明】
【図１】本発明によるアイデア抽出システムの一実施形態を示すブロック図である。
【図２】上記アイデア抽出システムの動作を示す流れ図である。
【図３】上記アイデア抽出システムの動作を示す流れ図である。
【図４】上記アイデア抽出システムの動作を示す流れ図である。
【図５】上記アイデア抽出システムの動作を示す流れ図である。
【図６】上記アイデア抽出システムの動作を示す流れ図である。
【図７】進行サイド側での課題設定画面を示す図である。
【図８】進行サイド側での課題表示画面を示す図である。
【図９】参加者側での課題表示画面を示す図である。
【図１０】参加者側でキーワードを入力した画面を示す図である。
【図１１】進行サイド側でキーワードが表示された画面を示す図である。
【図１２】参加者側でキーワードが表示された画面を示す図である。
【図１３】参加者側でキーワードを選択した画面を示す図である。
【図１４】参加者側で選択したキーワードが表示された画面を示す図である。
【図１５】参加者側でキーワードを入力した画面を示す図である。
【図１６】進行サイド側でキーワードが表示された画面を示す図である。
【図１７】参加者側でキーワードが表示された画面を示す図である。
【図１８】参加者側でキーワードを選択した画面を示す図である。
【図１９】参加者側で選択したキーワードが表示された画面を示す図である。
【図２０】参加者側でキーワードを入力した画面を示す図である。
【図２１】進行サイド側でキーワードが表示された画面を示す図である。
【図２２】参加者側でキーワードが表示された画面を示す図である。
【図２３】参加者側でキーワードを選択した画面を示す図である。
【図２４】参加者側で選択したキーワードが表示された画面を示す図である。
【図２５】参加者側でキーワードを入力した画面を示す図である。
【図２６】進行サイド側でキーワードが表示された画面を示す図である。
【図２７】蓄積されたキーワードの階層構造を示す図である。
【図２８】進行サイド側で一覧表示されたキーワードを示す図である。
【図２９】進行サイド側でのレポート作成画面を示す図である。
【符号の説明】
１  インターネット
２  送受信部
３  主制御部
４  表示部
５  メモリ
６  課題・参加者数設定部
７  キーワード送受信制御部
８  キーワード選択制御部
９  レポート作成制御部
１０  データベース
１１  送受信部
１２  主制御部
１３  表示部
１４  メモリ
１５  キーワード選択制御部
１６  キーワード連想制御部
【図１】
2004213219.tif 000003
【図２】
2004213219.tif 000004
【図３】
2004213219.tif 000005
【図４】
2004213219.tif 000006
【図５】
2004213219.tif 000007
【図６】
2004213219.tif 000008
【図７】
2004213219.tif 000009
【図８】
2004213219.tif 000010
【図９】
2004213219.tif 000011
【図１０】
2004213219.tif 000012
【図１１】
2004213219.tif 000013
【図１２】
2004213219.tif 000014
【図１３】
2004213219.tif 000015
【図１４】
2004213219.tif 000016
【図１５】
2004213219.tif 000017
【図１６】
2004213219.tif 000018
【図１７】
2004213219.tif 000019
【図１８】
2004213219.tif 000020
【図１９】
2004213219.tif 000021
【図２０】
2004213219.tif 000022
【図２１】
2004213219.tif 000023
【図２２】
2004213219.tif 000024
【図２３】
2004213219.tif 000025
【図２４】
2004213219.tif 000026
【図２５】
2004213219.tif 000027
【図２６】
2004213219.tif 000028
【図２７】
2004213219.tif 000029
【図２８】
2004213219.tif 000030
【図２９】
2004213219.tif 000031